【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
放熱外面と光反射性内面と複数の窓からなり内部空間を有する熱伝導性中空部材と、
少なくとも一つの発光ダイオード（ＬＥＤ）素子を含む発光ユニットを備え、
前記発光ユニットは、前記ＬＥＤ素子からの放射光線が前記内部空間へ入射する位置に配置され、かつ前記熱伝導性中空部材と熱結合され、
更に前記窓は光散乱性を有する光散乱性窓からなる、ＬＥＤランプ。
【請求項２】
前記窓は、前記熱伝導性中空部材（１１０）に形成された複数の貫通孔（１１１）と前記貫通孔（１１１）に充てんして配置された光透過性材料（１３０−１ａ、１３０−２ａ、１３０−３ａ）からなり、かつ
ａ）前記光透過性材料（１３０−１ａ）に光散乱性フィラー（１３０−１ｂ）を混入した光散乱透過性窓（１３０−１）、
ｂ）前記光透過性材料（１３０−２ａ）の外面に前記光散乱性フィラー（１３０−１ｂ）を混入した散乱透過層（１３０−２ｂ）を形成した光散乱透過性窓（１３０−２）、および
ｃ）  前記光透過性材料（１３０−３ａ）の外面に粗面（１３０−３ｂ）を形成した光散乱透過性窓（１３０−３）から選択された、請求項１に記載の、ＬＥＤランプ。
【請求項３】
前記窓は、前記熱伝導性中空部材（２１０）に形成された複数の貫通孔（２１１）と少なくとも前記貫通孔（２１１）と対応し前記熱伝導性中空部材（２１０）の内面と近接、接触して配置された光透過性中空部材（２３０）からなり、かつ
前記貫通孔（２１１）と対応する前記光透過性中空部材（２３０）の領域に形成された光散乱層（２４０ａまたは２４０ｂ）または粗面（２４０ｃ）を備えた光散乱透過性窓である、請求項１に記載の、ＬＥＤランプ。
【請求項４】
光散乱性を有する前記窓は、更に熱伝導性を有する光散乱および熱伝導性窓からなる、請求項１ないし請求項３のいずれかに記載の、ＬＥＤランプ。
【請求項５】
前記窓は、光透過性材料に高い熱伝導性を有する熱伝導性フィラーを含む光散乱および熱伝導性窓からなる、請求項１ないし請求項４のいずれかに記載の、ＬＥＤランプ。
【請求項６】
前記窓は、光透過性材料にシリカまたはガラスと比較して熱伝導率が少なくとも数倍以上高い高熱伝導性フィラーを含む光散乱および熱伝導性窓からなる、請求項１ないし請求項４のいずれかに記載の、ＬＥＤランプ。
【請求項７】
前記熱伝導性中空部材は、円形筒状部材（１１０）、多角形筒状部材（８１１）、ロート状部材（８１０）、ドーム状の半球形部材（１２０−５）、逆ドーム状の半球形部材（１２０−５）および球形部材（８１２）から選択される、請求項１ないし請求項４のいずれかに記載の、ＬＥＤランプ。
【請求項８】
前記発光ユニットは回路基板に前記発光ダイオード（ＬＥＤ）素子を搭載したものであり、
更に、前記回路基板に熱結合して配置された熱伝導部材を設け、
前記熱伝導部材は前記熱伝導性中空部材と熱結合して配置され、
それにより前記回路基板は前記熱伝導部材を経由して間接的に前記熱伝導性中空部材と熱結合された、請求項１ないし請求項４のいずれかに記載の、ＬＥＤランプ。
【請求項９】
前記発光ユニットは回路基板に前記発光ダイオード（ＬＥＤ）素子を搭載したものであり、
前記回路基板として熱伝導性回路基板を用い、
前記熱伝導性回路基板は前記熱伝導性中空部材と直接的に熱結合して配置された、請求項１ないし請求項４のいずれかに記載の、ＬＥＤランプ。
【請求項１０】
前記発光ユニットは、前記ＬＥＤ素子からの放射光線が前記内部空間へ入射するように前記熱伝導性中空部材の一端の開口部またはその近辺に配置された、請求項１ないし請求項４のいずれかに記載の、ＬＥＤランプ。
【請求項１１】
更に前記熱伝導性中空部材の一端の開口部を覆う熱伝導部材（８１２）と、前記熱伝導部材（８１２）から前記内部空間へ延びる熱伝導性支柱（１５２）を設け、
前記発光ユニットは前記熱伝導性支柱（１５２）の上部に熱結合して配置された、請求項１ないし請求項４のいずれかに記載の、ＬＥＤランプ。
【請求項１２】
更に前記発光ユニットから前記熱伝導性中空部材まで放射状に延びる複数の線形熱伝導部材（１５７）を設け、
前記発光ユニットは前記内部空間内に配置された、請求項１ないし請求項４のいずれかに記載の、ＬＥＤランプ。
【請求項１３】
前記窓と対応する領域に光路変換素子を配置した、請求項１ないし請求項４のいずれかに記載の、ＬＥＤランプ。
【請求項１４】
前記熱伝導性中空部材の内面において、前記窓と対応する領域に光路変換素子を配置し、前記光路変換素子は凸レンズまたはプリズムからなる、請求項１ないし請求項４のいずれかに記載の、ＬＥＤランプ。
【請求項１５】
更に、前記熱伝導性中空部材の上部開口を覆うように配置された光透過性材料からなる光透過性カバーを設けた、請求項１ないし請求項４のいずれかに記載の、ＬＥＤランプ。
【請求項１６】
更に、前記熱伝導性中空部材の上部開口を覆うように配置され、複数の窓を有する熱伝導性部材からなる熱伝導性兼光透過性カバー（１２０−５、１２０−７）を設けた、請求項１ないし請求項４のいずれかに記載の、ＬＥＤランプ。
【請求項１７】
前記光透過性カバーまたは前記熱伝導性兼光透過性カバーは、ほぼ半球形、ほぼ球形、ほぼＶ字形、ほぼＵ字形、ほぼ平板形から選択された形状を有する、請求項１ないし請求項４のいずれかに記載の、ＬＥＤランプ。
【請求項１８】
更に、前記熱伝導性中空部材に放熱フィンまたは放熱ピンを設けた、請求項１ないし請求項４のいずれかに記載の、ＬＥＤランプ。
【請求項１９】
複数の前記窓は、円形、楕円形、矩形および長方形から選択された形状を有する、請求項１ないし請求項４のいずれかに記載の、ＬＥＤランプ。
【請求項２０】
複数の前記窓または前記貫通孔は、前記熱伝導性中空部材または前記熱伝導性兼光透過性カバーに並列状または千鳥状に配列された、請求項１ないし請求項４のいずれかに記載の、ＬＥＤランプ。
【請求項２１】
複数の前記窓または前記貫通孔の開口面積および、または分布密度は、前記熱伝導性中空部材または前記熱伝導性兼光透過性カバーの異なる領域で一定または可変する、請求項１ないし請求項４のいずれかに記載の、ＬＥＤランプ。
【請求項２２】
複数の前記窓または前記貫通孔の開口率は、前記熱伝導性中空部材または前記熱伝導性兼光透過性カバーの異なる領域で一定または可変する、請求項１ないし請求項４のいずれかに記載の、ＬＥＤランプ。
【請求項２３】
前記光反射性内面は正反射性または散乱反射性を有する、請求項１ないし請求項４のいずれかに記載の、ＬＥＤランプ。
【請求項２４】
請求項１ないし請求項２３のいずれかに記載のＬＥＤランプと、給電端子と、交流を直流に変換する点灯回路からなり、前記ＬＥＤランプと前記給電端子と前記点灯回路を結合して一体化した、ＬＥＤ電球。
【請求項２５】
請求項１ないし請求項２４のいずれかに記載の前記ＬＥＤランプまたは前記ＬＥＤ電球に用いられる前記熱伝導性中空部材。
【手続補正２】
【補正対象書類名】明細書
【補正対象項目名】０１７９
【補正方法】変更
【補正の内容】
【０１７９】
図１２Ｂに示すＬＥＤ素子１４１−２は、ＬＥＤチップ１４１ａを封止し、蛍光体を含有する透明封止材１４１ｅ−２が反射ケーシング１４１ｆにより囲まれており、上面から光線が出射する。
【手続補正３】
【補正対象書類名】明細書
【補正対象項目名】０１８１
【補正方法】変更
【補正の内容】
【０１８１】
図１２Ｄに示すＬＥＤ素子１４１−４は、図１２Ｂに示すＬＥＤ素子１４１−２の変形であり、蛍光体を含有する透明封止材１４１ｅ−２の上面に凸レンズ１４１ｇを配置したものであり、凸レンズ１４１ｇの半球面から光線が出射する。
【手続補正４】
【補正対象書類名】明細書
【補正対象項目名】０１８２
【補正方法】変更
【補正の内容】
【０１８２】
図１２Ｅに示すＬＥＤ素子１４１−４ａは、図１２Ｂに示すＬＥＤ素子１４１−２の変形であり、蛍光体を含有する透明封止材１４１ｅ−２の上面に、Ｖ字形断面の円錐形表面を有する円錐形レンズ１４１ｈを配置したものであり、光線は円錐形表面で内部全反射し主として周側面から光線が出射する。
【手続補正５】
【補正対象書類名】明細書
【補正対象項目名】０１８４
【補正方法】変更
【補正の内容】
【０１８４】
図１２Ｇに示すＬＥＤ素子１４１−6は、ＬＥＤチップ１４１ａを封止し、蛍光体を含有する透明封止材が凸レンズ１４１ｋと、その上面にＶ字形断面の円錐形表面と傾斜側面を有する断面がＭ字形のレンズ１４１mからなる特殊レンズ状であり、主として傾斜側面と曲面から光線が出射する。
【手続補正６】
【補正対象書類名】図面
【補正対象項目名】図１２
【補正方法】変更
【補正の内容】
【図１２】
2012099297.tif 000001